(57)【要約】【課題】既存の扇風機やサーキュレーターに対して簡便に着脱することができ、送風を拡散させることができる送風拡散装置を提供する。【解決手段】扇風機の前ガード４に配置される環状の本体６ａと、その本体６ａを前ガード４に固定する固定部品とを有し、上記本体６ａは、前ガード４に固定された状態で側面から見て送風方向下流側に向けて傘状に拡がった傾斜面６ｄを備えていることを特徴とする。【選択図】図１
2013024169.tif 000002
【特許請求の範囲】
【請求項１】
扇風機の前ガードに配置される環状の本体と、
上記本体を上記前ガードに固定する固定部品とを有し、
上記本体は、上記前ガードに固定された状態で側面から見て送風方向下流側に向けて傘状に拡がった傾斜面を備えていることを特徴とする送風拡散装置。
【請求項２】
上記本体は、上記前ガードの外面または内面に固定するための固定部を備えている請求項１に記載の送風拡散装置。
【請求項３】
上記固定部品は、上記前ガードを構成している放射状に配置された骨部またはメッシュの枠部に係合する係合部を備えている請求項１に記載の送風拡散装置。
【請求項４】
上記固定部として、上記本体の内周縁部に設けられる第１固定用タブを有し、この第１固定用タブと上記前ガードの外面とを上記固定部品で接続するように構成されている請求項２に記載の送風拡散装置。
【請求項５】
上記固定部として、上記本体の外周縁部に設けられる第２固定用タブを有し、この第２固定用タブと上記前ガードの内面とを上記固定部品で接続するように構成されている請求項２に記載の送風拡散装置。
【請求項６】
上記固定部として、上記本体の内周縁部と接続され上記本体の中心部に設けられた固定用プレートを有し、この固定用プレートと上記前ガードの中央に備えられている円形プレート外面とを上記固定部品で接続するように構成されている請求項２に記載の送風拡散装置。
【請求項７】
上記固定部品が、上記カバー外面に対して着脱可能な吸盤から構成されている請求項６に記載の送風拡散装置。
【請求項８】
上記固定部品が、上記扇風機のガードを覆うネットカバーで構成されている請求項１に記載の送風拡散装置。
【請求項９】
上記固定部品が、上記第１固定用タブまたは上記第２固定用タブに設けられたマグネットで構成されている請求項４または５に記載の送風拡散装置。
【請求項１０】
上記本体に、スリット状またはドット状の通気孔が分散配置されている請求項１に記載の送風拡散装置。
【請求項１１】
請求項１〜１０のいずれか１項に記載の送風拡散装置を備えた扇風機。
【発明の詳細な説明】
【技術分野】
【０００１】
本発明は、扇風機やサーキュレーターの前ガードに装着して送風を拡散することができる送風拡散装置に関するものである。
【背景技術】
【０００２】
エアーコンディショナーが普及している今日においても、そのエアーコンディショナーから送り出される冷風を効率良く室内に循環させたり、また、節電を図る目的で扇風機やサーキュレーターが併用されている。
【０００３】
扇風機やサーキュレーターから送り出される風を長時間、直接、身体に浴びることは健康上好ましくないため、扇風機には、首振り機構、更にはリズム送風機構が備えられているが、身体に向かうタイミングでは強い風が当たるという問題がある。一方、サーキュレーターは、通常、首振り機構が備えられておらず、特定の方向に向けて風を遠くまで送る機能しか備わっていない。
【０００４】
微風モードを選択することができる扇風機も従来から知られているが、交流モータで低速回転させるには限界があり、直流モータを採用すればコスト高になる。直流モータを採用したとしても風速しか調整することができず、風の流れを調整するには羽根の向きを立体に移動させるなどさらに複雑な制御が必要となる。
【０００５】
そこで、羽根から送り出される風の流れを調整する手段とし、ガードと羽根との隙間に整流ユニットを配置し、この整流ユニットに設けられた整流翼の角度を送風に対し調整し、風速と風向きを変えるようにした整流翼付き扇風機が提案されている（例えば、特許文献１参照）。
【先行技術文献】
【特許文献】
【０００６】
【特許文献１】特開２０１０−２４８８８号公報
【発明の概要】
【発明が解決しようとする課題】
【０００７】
しかしながら、上記した整流翼付き扇風機では、前ガードの中央に取り付けられる基部と、その基部から放射状に伸び、風の流れに対して角度を調整することができる複数枚の整流翼とから構成される整流ユニットを、羽根とガードとの間に配置しなければならず、構造が複雑になるという問題がある。しかもこの整流ユニットは既存の扇風機に後付けすることができないという不都合もある。
【０００８】
本発明は以上のような従来の扇風機における課題を考慮してなされたものであり、既存の扇風機やサーキュレーターにも簡便に着脱することができ、送風を自然風のように拡散させることができる送風拡散装置を提供するものである。
【課題を解決するための手段】
【０００９】
本発明は、(ａ)扇風機の前ガードに装着される送風拡散装置と、(ｂ)その送風拡散装置を備えた扇風機との二つの形態がある。
【００１０】
(ａ)送風拡散装置
送風拡散装置は、扇風機の前ガードに配置される環状の本体と、
上記本体を上記前ガードに固定する固定部品とを有し、
上記本体は、上記前ガードに固定された状態で側面から見て送風方向下流側に向けて傘状に拡がった傾斜面を備えていることを要旨とする。
【００１１】
本発明は、前ガードを有し扇風機として使用することができるサーキュレータにも適用することができる。
【００１２】
本発明において、上記本体は、上記前ガードの外面または内面に固定するための固定部を備えることができる。
【００１３】
本発明において、上記固定部品は、上記前ガードを構成している放射状に配置された骨部またはメッシュの枠部に係合する係合部を備えることができる。
【００１４】
本発明において、上記固定部として、上記本体の内周縁部に設けられる第１固定用タブを有する場合、この第１固定用タブと上記前ガードの外面とを上記固定部品で接続するように構成することができる。
【００１５】
本発明において、上記固定部として、上記本体の外周縁部に設けられる第２固定用タブを有する場合、この第２固定用タブと上記前ガードの内面とを上記固定部品で接続するように構成することができる。
【００１６】
本発明において、上記固定部として、上記本体の内周縁部と接続され上記本体の中心部に設けられた固定用プレートを有する場合、この固定用プレートと上記前ガードの中央に備えられている円形プレート外面とを上記固定部品で接続するように構成することができる。この固定部品は、上記カバー外面に対して着脱可能な吸盤から構成することができる。
【００１７】
本発明において、上記固定部品は、上記扇風機のガードを覆うネットカバーで構成することができる。
【００１８】
本発明において、上記固定部品は、上記第１固定用タブまたは上記第２固定用タブに設けられたマグネットで構成することができる。
【００１９】
本発明において、上記本体に、スリット状またはドット状の通気孔を分散配置することができる。
【００２０】
(ｂ)送風拡散装置を備えた扇風機
本発明は、上記構成を有する送風拡散装置を備えた扇風機である。
【発明の効果】
【００２１】
本発明の送風拡散装置によれば、既存の扇風機やサーキュレーターにも簡便に着脱することができ、送風を自然風にように拡散させることができるという長所を有する。
【図面の簡単な説明】
【００２２】
【図１】本発明に係る第一の送風拡散装置の使用状態を示す斜視図である。
【図２】(ａ)は第一の送風拡散装置の本体正面図、(ｂ)はその側面図である。
【図３】(ａ)はストレートガード用の固定部品の正面図、(ｂ)はその側面図である。
【図４】(ａ)はメッシュおよびストレートガード兼用の固定部品の第一部品の正面図、(ｂ)はその側面図、(ｃ)は第二部品の側面図である。
【図５】(ａ)は第二の送風拡散装置の本体正面図、(ｂ)はその側面図である。
【図６】第二の送風拡散装置に用いられるロック式吸盤の側面図である。
【図７】(ａ)は第三の送風拡散装置の本体正面図を示し、同図(ｂ)はその側面図である。
【図８】従来の扇風機による空気の流れを示す説明図である。
【図９】本発明の送風拡散装置を装着した扇風機による空気の流れを示す説明図である。
【発明を実施するための形態】
【００２３】
以下、図面に示した実施の形態に基づいて本発明を詳細に説明する。
【００２４】
(1) 第一の送風拡散装置
図１は、本発明に係る第一の送風拡散装置の使用状態を示す斜視図である。
【００２５】
同図において、第一の送風拡散装置が装着される扇風機１は一般的なものであって、モータを内蔵し垂直軸まわりに揺動するとともに所定の角度範囲内で上下に起伏するモータ部２を有し、上記モータの駆動軸に羽根３が取り付けられ、この羽根３は前ガード４と後ガード５とによって覆われている。前ガード４の外径は通常、３６０〜３７０ｍｍの範囲内である。
【００２６】
前ガード４および後ガード５としては、指が通らない程度の隙間を空けて多数本の骨材を放射状に配置したもの（以下、ストレートガードと呼ぶ）や同じく多数本の骨材をメッシュ状に組み合わせたもの（以下、メッシュガードと呼ぶ）がある。
【００２７】
第一の送風拡散装置６は、それらの前ガード４の前面に固定部品（後述する）を介して装着されるように構成されている。
【００２８】
以下、第一の送風拡散装置６の構成を図２〜図４を参照しながら説明する。
【００２９】
図２(ａ)は第一の送風拡散装置６の環状本体６ａの正面図を示し、同図(ｂ)はその側面図を示している。
【００３０】
両図において環状本体６ａは、例えば外径Ｄが２８０〜２９５ｍｍの範囲、好ましくは２９０ｍｍからなり、内径ｄが１８０〜２００ｍｍの範囲、好ましくは１９０ｍｍからなり、この環状本体６ａは、側面から見ると送風方向下流側に向けて傘状に拡がった傾斜面６ｄが形成されており、この傾斜面６ｄの高さＨは１５〜２５ｍｍの範囲、好ましくは２０ｍｍである。
【００３１】
環状本体６ａの内周縁部には環状本体６ａを前ガード４に固定するための、ほぼ円形からなる固定用タブ（第１固定用タブ）６ｂが円周方向に等間隔（本実施形態では４箇所）に形成されており、これらの固定用タブ６ｂを前ガード４の前面に当接させるようになっている。
【００３２】
また、固定用タブ６ｂにはそれぞれ矩形のスリット６ｃが設けられており、後述する固定部品を取り付けることができるようになっている。
【００３３】
上記環状本体６ａは、ポリプロピレン樹脂、ＡＢＳ樹脂、ＥＶＡ樹脂、ＰＥＴ樹脂、ポリカーボネート樹脂等を用い金型で成形することによって製作することが好ましいが、合成樹脂以外の例えばアルミニウム等の金属薄板で構成することもできる。ただし、金属薄板を使用する場合は、安全のため外面を樹脂層で被覆することが好ましい。
【００３４】
図３は環状本体６ａをストレートガードに固定するための固定部品を示したものであり、同図(ａ)は正面図、同図(ｂ)はその側面図を示している。
【００３５】
両図において固定部品７は、円板部７ａと、その円板部７ａの一方側に立設されるつまみ部７ｂと、他方側に突設されるロック部７ｃとから構成されている。
【００３６】
ロック部７ｃは、断面円形の軸７ｄの先端からその軸と直交する方向に係止片７ｅを突出させており、係止片７ｅとつまみ部７ｂは同じ向きに揃えられている。
【００３７】
この固定部品７の係止片７ｅを、上記固定用タブ６ｂのスリット６ｃ（４箇所）に差し込み、さらに、前ガード４の骨材の隙間に通した状態で、つまみ部７ｂを９０°回転させると、前ガード４において隣接する二本の骨材に係止片７ｅが跨がり、環状本体６ａを前ガード４の外面に固定することができる。
【００３８】
なお、環状本体６ａを前ガード４から取り外す場合には、つまみ部７ｂを９０°逆方向に回転させ、固定部品７を引き抜くだけの簡単操作で取り外すことができる。
【００３９】
また、図４に示す固定部品８は、メッシュおよびにストレートガードの各前ガード４に兼用できるものであり、同図(ａ)は第一部品の正面図、同図(ｂ)はその側面図、同図(ｃ)は第二部品の側面図を示している。
【００４０】
固定部品８は、円板部８ａと、その円板部８ａの一方側に突設された異径軸部８ｂと、この異径軸部８ｂに嵌合されるゴム製のワッシャ８ｃとから構成されている。なお、異径軸部とは、長手方向中央部が軸端部よりも大径に形成されたものである。
【００４１】
この固定部品８の異径軸部８ｂを上記固定用タブ６ｂのスリット６ｃ（４箇所）に差し込み、さらに、前ガード４がメッシュガードである場合にはそのメッシュ開口に通した状態でワッシャ８ｃを異径軸部８ｂに嵌合させると、そのメッシュ開口を囲んでいる骨材が、円板部８ａとワッシャ８ｃによって挟まれるため、環状本体６ａを前ガード４に固定することができる。
【００４２】
上記構成を有する固定部品７および８は、ナイロン樹脂、ＡＢＳ樹脂、ＥＶＡ樹脂等の成形品から構成することができる。
【００４３】
(2) 第二の送風拡散装置
図５は本発明に係る第二の送風拡散装置９を示したものであり、同図(ａ)は環状本体９ａの正面図を示し、同図(ｂ)はその側面図を示している。
【００４４】
第二の送風拡散装置９も第一の送風拡散装置６と同様に、前ガード４の外面に取り付けられるようになっている。
【００４５】
両図において、第二の送風拡散装置９は、図２に示した送風拡散装置６の環状本体６ａと同じ条件の外径Ｄ、同じ内径ｄからなる環状本体９ａを有し、側面から見ると送風方向下流側に向けて傘状に拡がった傾斜面９ｅが形成されている。
【００４６】
環状本体９ａの内周部は十字状に配置された４本のアーム９ｂと接続されており、それらアーム９ｂの中央にボス部（固定用プレート）９ｃが形成され、このボス部９ｃの貫通孔９ｄに、後述するロック式吸盤（固定部品）が取り付けられるようになっている。環状本体９ａは上記した環状本体６ａと同種の材料から構成することができる。
【００４７】
なお、図中、想像線（二点鎖線）で示した４ａは、前ガード４の中心に備えられている円形プレートである。
【００４８】
図６は上記貫通孔９ｄに取り付けられるロック式吸盤の構成を示した側面図である。
【００４９】
同図において、ロック式吸盤１０は貫通孔９ｄに挿通されて本体９ａに固定される本体１０ａと、その本体１０ａの一方側に備えられている吸盤１０ｂと、吸盤１０ｂによる吸着をロックまたはロック解除する操作部１０ｃとから構成されている。
【００５０】
吸盤１０ｂを上記円形プレート４ａに押し付け、操作部１０ｃを矢印Ａ方向に押すと、吸盤１０ｂが円形プレート４ａに吸着された状態で固定することができるようになっている。なお、吸着を解除する場合は操作部１０ｃを矢印Ａ方向と逆方向に操作する。
【００５１】
上記構成を有する第二の送風拡散装置９は、前ガード４に対しワンタッチで着脱することができるという利点がある。
【００５２】
(3) 第三の送風拡散装置
図７は本発明に係る第三の送風拡散装置を示したものであり、上記した第一、第二の送風拡散装置とは異なり、前ガード４の内側から装着するようになっている。
【００５３】
図７(ａ)は第三の送風拡散装置の環状本体正面図を示し、同図(ｂ)はその側面図を示している。
【００５４】
両図において、第三の送風拡散装置１１の環状本体１１ａは、例えば外径Ｄ′が２６０ｍｍ、内径ｄ′が１８０ｍｍからなり、本体１１ａは、側面から見ると送風方向下流側に向けて傘状に拡がった傾斜面１１ｄが形成されている。
【００５５】
環状本体１１ａの外周縁部にはその環状本体１１ａを前ガード４に固定するためのほぼ円形からなる固定用タブ（第２固定用タブ）１１ｂが等間隔（本実施形態では４箇所）に形成されており、これらの固定用タブ１１ｂを前ガード４の前面に当接させるようになっている。
【００５６】
また、固定用タブ１１ｂにはそれぞれ矩形のスリット１１ｃが設けられており、上述した固定部品７または８を挿通させるようになっている。
【００５７】
なお、上記環状本体１１ａは上述した環状本体６ａと同種の材料から構成することができる。
【００５８】
環状本体１１ａを前ガード４の内側に配置し、図３に示した固定部品７の係止片７ｅを固定用タブ１１ｂのスリット１１ｃ（４箇所）に差し込み、さらに、ストレートガードである場合には、前ガード４の内側から外側に向けて骨材の隙間を通し、つまみ部７ｂを９０°回転させると、係止片７ｅが隣接する二本の骨材に跨がるため、環状本体１１ａを前ガード４の内面に固定することができる。
【００５９】
図８および図９は、従来の扇風機から送り出される空気の流れと、本発明に係る送風拡散装置を装着した扇風機から送り出される空気の流れとを、スモーク発生機を用いて検証した説明図である。
【００６０】
図８に示す従来の扇風機による空気の流れは、扇風機の羽根回転軸の延長線上に収束した状態で流れていることがわかる。
【００６１】
一方、本発明の送風拡散装置を前ガードに装着した扇風機では、図９に示すように、羽根から送り出される空気の流れは、先拡がりの円錐状に拡散しながら流れていくことがわかる。
【００６２】
このように、本発明の送風拡散装置によれば、扇風機の正面に体を置いてもさほど風圧を感じることがなく、体の周囲を流れていく空気の流れによって自然の風に近い感覚で涼しさを体感することができる。
【００６３】
また、扇風機から送り出される風のすべてが直接、身体に当たらないため、体力の弱い高齢者であっても健康を害することがなく、エアーコンディショナーの代わりとして夜間、扇風機をつけっぱなしにすることができる。
【００６４】
さらに、拡散された風が得られるため、職場で使用した場合には扇風機からの風によってデスク上の書類が飛ばないという利点もある。
【００６５】
また、本発明の送風拡散装置について、環状本体の外周縁を円形から波付き円形に変更すれば、環状本体の外周縁から剥がれる空気の流れに乱流を発生させることができ、拡散効果をより高めることができる。
【００６６】
また、環状本体に、スリット状またはドット状の通気孔を分散配置することもできる。この場合、通気孔から微風が送り出される。
【００６７】
また、上記実施形態では一枚の環状本体で送風拡散装置を構成したが、複数枚で構成することもできる。この場合、外径の小さい（例えば２９０ｍｍ）第一の環状本体と、外径の大きい（例えば３８０ｍｍ）第二の環状本体を、同軸に前ガードに固定することになる。このように、複数枚の環状本体を前ガードに固定すると、扇風機から送り出される風向きを変更できるだけでなく風速も減衰させることができる。
【００６８】
それにより、扇風機が微風モードを備えている場合、微風よりもさらに風速が遅い風を得ることができるため、就寝中、連続して扇風機を使用することが可能になる。
【００６９】
なお、上記実施形態では送風拡散装置を扇風機に装着した構成について説明したが、同様の前ガードを備えたものであれば、サーキュレーター等にも本発明を適用することができる。
【００７０】
また、上記実施形態では送風拡散装置をガードに固定するにあたり、図３および図４に示した固定部品を使用したが、これに限らず、安全のために扇風機のガードを覆うネットカバーを環状本体と接続して一体化することにより、そのネットカバーを固定部品とすることもできる。
【００７１】
また、図２または図７に示した固定用タブの裏面にマグネットを取り付けることにより、環状本体を磁力で前ガードに固定することもできる。固定部品としてマグネットを利用すれば、前ガードに対し環状本体を簡単に脱着することができるという利点がある。
【００７２】
また、本発明の送風拡散装置は既存の扇風機に着脱できるように構成されているが、上記構成を有する送風拡散装置が備えられている扇風機も本発明に含まれる。
【００７３】
また、環状本体にコスモス、菊、ヒマワリ等の絵柄を設ければ、送風拡散装置を鑑賞用として楽しむことができる。
【００７４】
さらにまた、環状本体に額縁部を設ければ、地球儀、星座、風景写真、家族写真等を取り替えて楽しむことができる。
【符号の説明】
【００７５】
１    扇風機
２    モータ部
３    羽根
４    前ガード
５    後ガード
６    送風拡散装置
６ａ  環状本体
６ｂ  固定用タブ
６ｃ  スリット
７    固定部品
７ａ  円板部
７ｂ  つまみ部
７ｃ  ロック部
７ｄ  軸
７ｅ  係止片
８    固定部品
８ａ  円板部
８ｂ  異径軸部
８ｃ  ワッシャ
【図１】
2013024169.tif 000003
【図３】
2013024169.tif 000004
【図４】
2013024169.tif 000005
【図６】
2013024169.tif 000006
【図２】
2013024169.tif 000007
【図５】
2013024169.tif 000008
【図７】
2013024169.tif 000009
【図８】
2013024169.tif 000010
【図９】
2013024169.tif 000011